(57)【要約】【課題】音楽、映像等のコンテンンツを高品質に再生することができるコンテンンツ再生システム及びコンテンツ再生方法を提供する。【解決手段】コントローラ１２５は、伝送路を介してソース機器１１から出力されたコンテンツデータをリングバッファ１２２に保持し、リングバッファ１２２に保持されたコンテンツデータ量に応じてソース機器１１から出力されるコンテンツデータの伝送レートを制御するとともに、コンテンツデータに含まれる再生情報に基づいて発振器１２６にて生成された、伝送レートと非同期な再生クロックに基づいてリングバッファ１２２よりコンテンツデータを読み出して再生する。【選択図】図１
2007194845.tif 000002
【特許請求の範囲】
【請求項１】
コンテンツデータを伝送する伝送路を介して第１の装置と第２の装置とが接続されたコンテンツ再生システムにおいて、
上記第１の装置は、
上記伝送路を介して上記コンテンツデータを出力する出力手段と、
上記出力手段から出力されるコンテンツデータを、上記第２の装置に要求された伝送レートにて出力する出力制御手段とを備え、
上記第２の装置は、
上記伝送路を介して上記出力手段から出力されたコンテンツデータを入力する入力手段と、
上記入力手段に入力されたコンテンツデータを保持する保持手段と、
上記保持手段に保持されたコンテンツデータ量に応じて上記伝送レートを制御する伝送レート制御手段と、
上記コンテンツデータを再生するための再生クロックを生成する再生クロック生成手段と、
上記再生クロック生成手段により生成された再生クロックに基づいて上記保持手段よりコンテンツデータを読み出し、当該コンテンツデータを再生する再生手段とを備える
ことを特徴とするコンテンツ再生システム。
【請求項２】
上記第２の装置は、上記入力手段に入力されたコンテンツデータを第３の装置に転送する転送手段を備え、
上記転送手段は、上記伝送制レート御手段が伝送レートを制御している際、上記コンテンツ信号の転送を停止することを特徴とする請求項１記載のコンテンツ再生システム。
【請求項３】
上記伝送路は、ＨＤＭＩ（High-Definition Multimedia Interface）であって、
上記伝送レート制御手段は、ＣＥＣ（Consumer Electronics Control）信号を用いて、上記出力手段から出力されるコンテンツデータの伝送レートを制御することを特徴とする請求項１記載のコンテンツ再生システム。
【請求項４】
上記伝送路は、ＩＥＥＥ（Institute of Electrical and Electronic Engineers）１３９４方式であって、
上記再生クロック生成手段は、上記コンテンツデータに含まれるＮフラグに応じて上記伝送レートと非同期な再生クロックを生成することを特徴とする請求項１記載のコンテンツ再生システム。
【請求項５】
コンテンツデータを伝送する伝送路を介して第１の装置と第２の装置とが接続されたコンテンツ再生システムにおけるコンテンツ再生方法において、
上記第１の装置は、上記第２の装置の保持手段に保持されたコンテンツデータ量に応じて要求された伝送レートにて上記コンテンツデータを出力し、
上記第２の装置は、上記第１の装置から出力されたコンテンツデータを再生するための再生クロックを生成し、上記再生クロックに基づいて上記保持手段よりコンテンツデータを読み出し、当該コンテンツデータを再生する
ことを特徴とするコンテンツ再生方法。
【発明の詳細な説明】
【技術分野】
【０００１】
本発明は、ＨＤＭＩ（High-Definition Multimedia Interface）やＩＥＥＥ（Institute of Electrical and Electronic Engineers）１３９４方式などにより、コンテンツ信号を入出力し、コンテンツを再生するコンテンンツ再生システム及びコンテンツ再生方法に関するものである。
【背景技術】
【０００２】
従来、ＨＤＭＩ（High-Definition Multimedia Interface）やＩＥＥＥ（Institute of Electrical and Electronic Engineers）１３９４方式などにより、コンテンツ信号を出力するソース機器とコンテンツ信号を入力するシンク機器とを接続し、例えば、シンク機器に接続されたスピーカ等から音声を出力するシステムが提案されている（例えば、特許文献１、２参照。）。
【０００３】
例えば、図１０に示すように、アンプ等のシンク機器１０２がプレーヤ等のソース機器１０１から受信した音声信号をリングバッファ１０３に保持し、音声信号を再生する場合、コントローラ１０４は、ＰＬＬ（Phase Locked Loop）１０５にて、音声信号の伝送レートに基づいて再生用クロックを生成し、再生用クロックに基づいてリングバッファ１０３から音声信号を読み出すことにより、音声信号の再生を行う。
【０００４】
【特許文献１】特開２００３−１０９２９８号公報
【特許文献２】特開２００３−２７２３０１号公報
【発明の開示】
【発明が解決しようとする課題】
【０００５】
しかしながら、上記再生用クロックは、音声信号が伝送される伝送クロックに同期して生成され、本質的にジッタ成分を有しているため、正確に音声を再現することが困難であった。
【０００６】
本発明は、上記問題点を解消するためになされたものであり、音楽、映像等のコンテンンツを高品質に再生することができるコンテンンツ再生システム及びコンテンツ再生方法を提供することを目的とする。
【課題を解決するための手段】
【０００７】
本発明に係るコンテンツ再生システムは、コンテンツデータを伝送する伝送路を介して第１の装置と第２の装置とが接続されたコンテンツ再生システムにおいて、上記第１の装置は、上記伝送路を介して上記コンテンツデータを出力する出力手段と、上記出力手段から出力されるコンテンツデータを、上記第２の装置に要求された伝送レートにて出力する出力制御手段とを備え、上記第２の装置は、上記伝送路を介して上記出力手段から出力されたコンテンツデータを入力する入力手段と、上記入力手段に入力されたコンテンツデータを保持する保持手段と、上記保持手段に保持されたコンテンツデータ量に応じて上記伝送レートを制御する伝送レート制御手段と、上記コンテンツデータを再生するための再生クロックを生成する再生クロック生成手段と、上記再生クロック生成手段により生成された再生クロックに基づいて上記保持手段よりコンテンツデータを読み出し、当該コンテンツデータを再生する再生手段とを備えることを特徴としている。
【０００８】
また、本発明に係るコンテンツ再生方法は、コンテンツデータを伝送する伝送路を介して第１の装置と第２の装置とが接続されたコンテンツ再生システムにおけるコンテンツ再生方法において、上記第１の装置は、上記第２の装置の保持手段に保持されたコンテンツデータ量に応じて要求された伝送レートにて上記コンテンツデータを出力し、上記第２の装置は、上記第１の装置から出力されたコンテンツデータを再生するための再生クロックを生成し、上記再生クロックに基づいて上記保持手段よりコンテンツデータを読み出し、当該コンテンツデータを再生することを特徴としている。
【発明の効果】
【０００９】
本発明によれば、コンテンツデータを伝送する伝送路を介して第１の装置と第２の装置とが接続されたコンテンツ再生システムにおいて、第１の装置は、第２の装置の保持手段に保持されたコンテンツデータ量に応じて要求された伝送レートにてコンテンツデータを出力し、第２の装置は、第１の装置から出力されたコンテンツデータを再生するための再生クロックを生成し、この再生クロックに基づいて保持手段よりコンテンツデータを読み出し、当該コンテンツデータを再生するため、音楽、映像等のコンテンンツを高品質に再生することができる。
【発明を実施するための最良の形態】
【００１０】
以下、本発明の具体的な実施の形態について、図面を参照しながら詳細に説明する。本発明の具体例として示すコンテンツ再生システムは、音声信号、映像信号等のコンテンツ信号を出力するＤＶＤ（Digital Versatile Disk）プレーヤ等のソース機器と、コンテンンツ信号を入力するＡＶアンプ等のシンク機器とが、ＨＤＭＩ（High-Definition Multimedia Interface）やＩＥＥＥ（Institute of Electrical and Electronic Engineers）１３９４方式などの伝送ケーブルを介して接続されたものである。
【００１１】
（第１の実施の形態）  
図１は、第１の実施形態におけるコンテンツ再生システムを示すものである。このコンテンツ再生システム１０は、音声信号を出力するＤＶＤプレーヤ等のソース機器１１と、ＡＶアンプ等のシンク機器１２とがＨＤＭＩ伝送ケーブル１３を介して接続されたものである。
【００１２】
ソース機器１１は、ディスク１１１に記録されている音声信号を読み取る信号読取部１１２と、ＨＤＭＩ伝送ケーブル１３を介して行われる音声信号の伝送を制御するコントローラ１１３と、ＨＤＭＩ端子１１４とを備えて構成されている。
【００１３】
ディスク１１１は、例えば、ピットとランドにより音声信号が記録された光ディスクである。信号読取部１１２は、ディスク１１１に記録された音声信号を、例えば、光学ピックアップ装置により光学的に読み出す。コントローラ１１３は、後述するように、シンク機器１２からの要求に応じて音声信号を伝送する伝送レートを制御する。
【００１４】
ＨＤＭＩ端子１１４は、図２に示すように、１９ピンから成っており、ＨＤＭＩ伝送ケーブル１３の端子が接続される。
【００１５】
ＨＤＭＩは、ＤＶＩ（Digital Visual Interface）と同様、いわゆるＴＭＤＳ（Transition Minimized Differential Signaling）方式に基づいており、３つのＴＭＤＳデータ伝送路と１つのＴＭＤＳクロック伝送路からなっている。また、図２に示すＣＥＣ（Consumer Electronics Control）信号は、コントロール信号である。また、ＤＤＣ（Display Data Channel：ディスプレイ情報）信号は、ＤＤＣクロックとＤＤＣデータとからなり、ディスプレイ情報（ＤＤＣ）をやり取りするものである。また、＋５Ｖ電源信号とホットプラグ検出信号は、ソース機器１１とシンク機器１２の接続状態を通知するレベル信号である。例えば、ソース機器１１が起動すると＋５Ｖ電源信号がハイレベルになり、ソース機器１１とシンク機器１２が接続されている状態で、５Ｖ電源信号がシンク機器１２に入力されるとホットプラグ信号がハイレベルになる。なお、ＨＤＭＩケーブル１３には、この他にＳＣＬ（Serial Clock Line）、ＳＤＡ（Serial Data Line）、予備線やシールド（ＧＮＤ）線が複数配置されている。
【００１６】
一方、シンク機器１２は、ＨＤＭＩ端子１２１と、音楽信号を一時的に保持するリングバッファ１２２と、音楽信号を信号処理するＤＳＰ（Digital Signal Processor）１２３と、音声信号を増幅するアンプ１２４と、リングバッファ１２２に保持されたデータ量に応じて伝送レートを制御するとともに各構成部を制御するコントローラ１２５と、発振器１２６とを備えて構成されている。
【００１７】
ＨＤＭＩ端子１２１は、上述したソース機器１１のＨＤＭＩ端子１１４と同様な構成を有している。リングバッファ１２２は、音楽信号を一時的に保持するＦＩＦＯ（First-In First-Out）等のメモリである。ＤＳＰ１２３は、音声信号を例えば、５．１ＣＨ、７．１ＣＨ等のオーディオ信号に処理する。アンプ１２４は、ＤＳＰ１２３により信号処理された信号を増幅する。増幅された音声信号は、スピーカ１２７に出力され音声が出力される。コントローラ１２５は、リングバッファ１２２に保持されたデータ量に応じて伝送レートを制御するとともに発振器１２６のクロックによる再生を制御する。
【００１８】
図３は、上述のようなコンテンツ再生システム１０における音声の再生動作を模式的に示すブロック図である。ここで、ＨＤＭＩ受信部３３は図１に示すシンク機器１２のＨＤＭＩ端子１２１及びコントローラ１２５、ＦＩＦＯ３４はリングバッファ１２２、音声処理部３５はＤＳＰ１２３、アンプ１２４、コントローラ１２５及び発振器１２６にそれぞれ対応するものである。
【００１９】
ソース機器１１である映像音声送信装置３１は、ＨＤＭＩのＴＭＤＳデータ伝送路により音声信号を送信するとともにＴＭＤＳクロック伝送路により伝送レートと同期したクロック１を送信する。
【００２０】
シンク機器１２である映像音声送受信装置３２は、ＨＤＭＩ受信部３３により音声信号とクロック１とを受信する。映像音声送受信装置３２は、ＦＩＦＯ３４に音声信号を保持し、ＦＩＦＯ３４に保持された音声信号を、クロック１と非同期であって、発振器１２６にて生成されたクロック２により読み出し、音声処理部３５で音声処理を行う。クロック２を生成するクロック情報としては、例えば、音声信号に含まれるＡｕｄｉｏ Ｉｎｆｏ Ｆｒａｍｅ Ｐａｃｋｅｔを用いることができる。
【００２１】
このように映像音声送受信装置３２は、本質的にジッタ成分を有するＰＬＬ系によるクロック１を使用せずに、クロック１から独立した、再生のために基準となるクロック２に基づいて音声信号を読み出し、音声処理を行うことにより、より高音質な再生を行うことができる。
【００２２】
また、映像音声送受信装置３２は、例えば、ＣＥＣ信号を用いて映像音声送信装置３１と通信し、ＦＩＦＯ３４のデータ量に応じて映像音声送信装置３１から送信される音声信号の伝送レートを制御することが好ましい。これにより、映像音声送信装置３１より送信された伝送レートと同期したクロック１と、発振器１２６で生成したクロック２とが非同期となってしまうために生じるＦＩＦＯ３４のオーバーフローやアンダーフローを防ぐことができる。
【００２３】
続いて、上述の再生動作の際の音声信号の伝送レートの制御について図４に示すフローチャートを参照して説明する。
【００２４】
ステップＳ１１において、ＨＤＭＩ受信部３３は、所定時間毎にＦＩＦＯ３４のデータ量を検出する。そして、予め設定された閾値Ｔｈ１及び閾値Ｔｈ２（Ｔｈ１＞Ｔｈ２）に応じて伝送レートの変更を映像音声送信装置３１に要求する。
【００２５】
ステップＳ１２において、ＨＤＭＩ受信部３３は、ＦＩＦＯ３４のデータ量が閾値Ｔｈ１以上か否かを判別する。ステップＳ１２において、ＦＩＦＯ３４のデータ量が閾値Ｔｈ以上であった場合、送信元である映像音声送信装置３１に伝送レートの減少を要求する（ステップＳ１３）。これにより、映像音声送信装置３１からは、例えば、伝送レートが−１％された音声信号が出力され、多くなっていたＦＩＦＯデータ量が通常状態に回復していくため、オーバーフローを防ぐことができる。ステップＳ１２において、ＦＩＦＯ３４のデータ量が閾値Ｔｈ１よりも小さかった場合、ステップＳ１４に進む。
【００２６】
また、ステップＳ１４において、ＨＤＭＩ受信部３３は、ＦＩＦＯ３４のデータ量が閾値Ｔｈ２以下か否かを判別する。ステップＳ１４において、ＦＩＦＯ３４のデータ量が閾値Ｔｈ２以下であった場合、送信元である映像音声送信装置３１に伝送レートの増加を要求する（ステップＳ１５）。これにより、映像音声送信装置３１からは、例えば、伝送レートが＋１％された音声信号が出力され、少なくなっていたＦＩＦＯデータ量が通常状態に回復していくため、アンダーフローを防ぐことができる。ステップＳ１４において、ＦＩＦＯ３４のデータ量が閾値Ｔｈ２よりも大きかった場合、ステップＳ１６に進む。
【００２７】
ステップＳ１６において、ＨＤＭＩ受信部３３は、ステップＳ１４においてＦＩＦＯ３４のデータ量が閾値Ｔｈ２よりも大きかった場合、すなわち、ＦＩＦＯ３４のデータ量が閾値Ｔｈ１より小さく、且つ閾値Ｔｈ２より大きい場合、送信元である映像音声送信装置３１に通常の伝送レートでの音声信号の送信を要求する。
【００２８】
このようにＨＤＭＩ受信部３３は、ＦＩＦＯ３４のデータ量に応じて映像音声送信装置３５に伝送レートの要求を行うことにより、映像音声送信装置３１より送信された伝送レートと同期したクロック１と、発振器１２６で生成したクロック２とが非同期であっても、ＦＩＦＯ３４のオーバーフローやアンダーフローを防ぐことができる。
【００２９】
また、ＨＤＭＩは、図５に示すように、ソース機器１１である映像音声送信装置５１と複数の装置５２〜５８とを接続することができる。例えば、映像音声送信装置５１とリピータ機器である映像音声送受信装置５２とが、図３に示す映像音声送信装置３１と映像音声送受信装置３２とにそれぞれ対応している場合、図５に示す映像音声送受信装置５２は、正確に音声再生を行うことができる。
【００３０】
また、図５に示すようなコンテンツ再生システムでは、正確に音声再生を行いたい装置が、例えば、映像音声送受信装置５２の場合、映像音声送受信装置５２より後段の映像音声（送）受信装置５３〜５８に対してミュート制御する。
【００３１】
これにより、例えば、映像音声送信装置５１と映像音声送受信５２との間で伝送レートのコントロールが行われた場合、映像音声（送）受信装置５３〜５８は音声を入力しないため、例えば、映像音声（送）受信装置５３〜５８が、音声信号とともに送信された伝送レートに同期したクロック１に基づいてクロックをＰＬＬにより生成し、ＰＬＬにより生成されたクロックに応じて音声信号を再生する装置であって、伝送レートが変化するとクロック１も変化してしまうために正確に音声を出力することができない装置であっても、正確に音声を再生することができるシステムを提供することができる。
【００３２】
続いて、図６を参照して上述のミュート制御について説明する。図６は、図５に示す映像音声送信装置５１、映像音声送受信装置５２、５４、５５及び映像音声受信装置５６の信号のやりとりを模式的に示すものである。ここで、レートコントロールを行い、高音質で再生することができる装置を映像音声送受信装置５２とし、他の映像音声（送）受信装置５３〜５８は、レートコントロールを行い、高音質で再生することができないものとする。
【００３３】
映像音声送受信装置５２は、レートコントロールを行うために、音声信号を出力する映像音声送信装置５１にレートコントロール要求を通知する（ステップＳ２１）。映像音声送信装置５１は、レートコントロール要求に対し、レートコントロールに対応している場合には、レートコントロール許可を映像音声送受信装置５２に通知する（ステップＳ２２）。また、映像音声送信装置５１は、例えば、Ａｕｄｉｏ Ｓａｍｐｌｅ Ｐａｃｋｅｔの転送を停止することにより音声出力を停止する（ステップＳ２３）。
【００３４】
映像音声送受信装置５２は、レートコントロール許可を受信すると、自機器をミュートするとともに音声出力停止を映像音声送受信装置５４に通知する（ステップＳ２４）。以下、映像音声送受信装置５４及び映像音声送受信装置５４も同様に自機器をミュートするとともに音声出力停止を後段に通知する（ステップＳ２５、Ｓ２６）。すなわち、映像音声送受信装置５２より後段の映像音声（送）受信装置５４、５５、５６に、音声信号の転送を中止させる。
【００３５】
なお、音声出力停止の通知は、映像と音声とを両方ともミュートする場合、例えば、コントロール情報であるＡＶＭｕｔｅを用いることができる。また、音声出力停止の通知を行うのではなく、映像音声送受信装置５４が映像音声送受信装置５２の音声出力の停止を検出することにより、自身の音声出力を停止し、後段の映像音声（送）受信装置５５、５６も同様に自身の音声出力を停止するようにしてもよい。
【００３６】
映像音声送信装置５１は、レートコントロールを許可した映像音声送受信装置５２に対してのみに音声信号を出力し（ステップＳ２７）、映像音声送受信装置５２は、映像音声送信装置５１と映像音声送受信装置５２の区間のレートコントロールを開始する。なお、レートコントロールは、図４を用いて上述した伝送レートの制御と同様である。
【００３７】
映像音声送受信装置５２は、ＦＩＦＯ３４への音声信号のバッファリングを開始すると、自機器のミュートを解除し、バッファリングした音声信号を発振器１２６で生成したクロック２により高音質再生する。
【００３８】
このように映像音声送受信装置５２は、後段の装置をミュートし、再生動作を行うことにより正確に音声を再現することができる再生システムを提供することができる。
【００３９】
また、上記実施の形態では、レートコントロールを行い、高音質再生する映像音声信号（送）受信装置からレートコントロール要求を通知することとしたが、音声信号を出力する映像音声信号（送）受信装置から、レートコントロールを促すようにしてもよい。
【００４０】
例えば、図７に示すように、送信装置Ａは、レートコントロール可能なコンテンツを送信する場合、レートコントロールお勧め通知を行う（ステップＳ３１）。（送）受信装置Ｂは、例えば、受信したお勧め通知に応じて表示部（図示せず）に高音質で再生可能なコンテンツであることを表示し、ユーザにレートコントロール釦を提示し、レートコントロールを行うか否かをユーザに問い合わせ、レートコントロール釦が押された場合、レートコントロール要求を通知する（ステップＳ３２）。送信装置Ａは、受信したレートコントロール要求通知に対し、レートコントロール許可通知を送信する（ステップＳ３３）。以下、（送）受信装置Ｂは、上述したレートコントロールと同様に再生動作を行う。
【００４１】
このようにコンテンツ信号を送信する送信元からレートコントロールを促すようにすることにより、ユーザは高音質の効果が高いコンテンツのみを高音質再生させることができる。
【００４２】
（第２の実施の形態）  
図８は、第２の実施形態におけるコンテンツ再生システムを示すものである。このコンテンツ再生システム８０は、音声信号を出力するＤＶＤプレーヤ等のソース機器８１と、ＡＶアンプ等のシンク機器８２とがＩＥＥＥ１３９４伝送ケーブル８３を介して接続されたものである。なお、上記第１の実施形態のコンテンツ再生システム１０と同様な構成には、同一符号を付して説明を省略する。
【００４３】
ソース機器８１は、ディスク１１１に記録されている音声信号を読み取る信号読取部１１２と、ＩＥＥＥ１３９４伝送ケーブル８３を介した音声信号の伝送を制御するコントローラ８１３と、ＩＥＥＥ１３９４端子８１４とを備えて構成されている。
【００４４】
コントローラ８１３は、後述するように、シンク機器８２からの要求に応じて音楽信号の伝送レートを制御する。ＩＥＥＥ１３９４端子８１４は、ＩＥＥＥ１３９４伝送ケーブル８３の端子と接続される。ＩＥＥＥ１３９４伝送ケーブル８３で接続されたソース機器８１とシンク機器８２は、例えば、ＡＶ／Ｃコマンドによって、各機器のコントロールや状況の判断などを行うことができる。また、ＩＥＥＥ１３９４方式による接続は、最大で６３台の機器をデイジーチェーン接続、又はツリー接続することができ、転送速度は１００Ｍｂｐｓ、２００Ｍｂｐｓ、４００Ｍｂｐｓが規格化されている。
【００４５】
一方、シンク機器８２は、ＩＥＥＥ１３９４端子８２１と、音楽信号を一時的に保持するリングバッファ１２２と、音楽信号を信号処理するＤＳＰ（Digital Signal Processor）１２３と、音声信号を増幅するアンプ１２４と、リングバッファ１２２に保持されたデータ量に応じて伝送レートを制御するとともに各構成部を制御するコントローラ８２５と、発振器１２６とを備えて構成されている。
【００４６】
ＩＥＥＥ１３９４端子８２１は、上述したソース機器８１のＩＥＥＥ１３９４端子８１４と同様である。コントローラ８２５は、リングバッファ１２２に保持されたデータ量に応じて伝送レートを制御するとともに発振器１２６のクロックによる再生を制御する。
【００４７】
このＩＥＥＥ１３９４方式によるコンテンツ再生システム８０では、Ｎフラグと呼ばれる制御情報を用いて、高音質再生を行うことができる。Ｎフラグは、図９に示すように、ヘッダ内のＦＤＦ領域９０に定義され、音声信号のクロックが信頼できるか否かを示している。例えば、音声信号のクロックが信頼できる場合、Ｎフラグを０とし、音声信号のクロックが信頼できない場合、Ｎフラグを１とする。
【００４８】
Ｎフラグを用いたコンテンツ再生システムにおいて、ソース機器８１は、出力する音声信号のクロックを信頼しないように、Ｎフラグを０として音声信号を送信する。シンク機器８２は、音声信号を受信するとともにＮフラグを検出し、リングバッファ１２２に音声信号を保持する。そして、検出したＮフラグに応じて発振器１２６より再生用のクロックを生成し、リングバッファ１２２に保持された音声信号を発振器１２６で生成したクロックにより読み出し、ＤＳＰ１２３、アンプ１２４等で音声処理を行う。
【００４９】
このようにシンク機器８２は、本質的にジッタ成分を有するＰＬＬ系クロックを使用せずに、発振器１２６で生成したクロックにより音声信号を読み出して音声処理を行うことにより、より高音質な再生を行うことができる。
【００５０】
また、ソース機器８１より送信された伝送レートと同期したクロックと、発振器１２６で生成したクロックとが非同期なために、コントローラ８２５が音声信号の伝送レートを制御する動作については、図４に示すフローチャートを参照した説明と同様である。すなわち、コントローラ８２５は、ＨＤＭＩ受信部３３に対応する処理を行い、レートコントロールを行う。
【００５１】
また、図５に示すように、ソース機器８１と複数のリピータ機器やシンク機器を接続した場合も、上述したＨＤＭＩのシステムと同様、高音質で再生する機器の後段のリピータ機器やシンク機器をミューとさせることができる。例えば、高音質で再生するシンク機器８２がＡＶ／Ｃコマンドによって全ての装置の音声出力を停止し、音声信号の送信元であるソース機器８１のみ音声出力を解除し、ソース機器８１から音声信号の入力を受けることにより、上述したＨＤＭＩのシステムと同様なシステムを実現することができる。
【図面の簡単な説明】
【００５２】
【図１】第１の実施形態におけるコンテンツ再生システムを示す図である。
【図２】ＨＤＭＩ端子を示す図である。
【図３】音声信号の再生の際の構成を模式的に示すブロック図である。
【図４】音声信号の伝送レートの制御動作を示すフローチャートである。
【図５】複数の映像音声送受信装置が接続されたコンテンツ再生システムの一例を示す図である。
【図６】ミュート制御の際の信号のやり取りを説明するための図である。
【図７】音声信号の伝送レートの制御動作の他の例を示す図である。
【図８】第２の実施形態におけるコンテンツ再生システムを示す図である。
【図９】パケットの内容を示す図である。
【図１０】従来のコンテンツ再生システムを示す図である。
【符号の説明】
【００５３】
１０  コンテンツ再生システム、１１  ソース機器、１２  シンク機器、１３  ＨＤＭＩ伝送ケーブル、１１１  ディスク、１１２  信号読取部、１１３  コントローラ、１１４  ＨＤＭＩ端子、１２１  ＨＤＭＩ端子、１２２  リングバッファ、１２３  ＤＳＰ、１２４  アンプ、１２５  コントローラ、１２６  発振器、１２７  スピーカ、３１  映像音声送信装置、３２  映像音声送受信装置、３３  ＨＤＭＩ受信部、３４  ＦＩＦＯ、３５  音声処理部
【図１】
2007194845.tif 000003
【図２】
2007194845.tif 000004
【図３】
2007194845.tif 000005
【図４】
2007194845.tif 000006
【図５】
2007194845.tif 000007
【図６】
2007194845.tif 000008
【図７】
2007194845.tif 000009
【図８】
2007194845.tif 000010
【図９】
2007194845.tif 000011
【図１０】
2007194845.tif 000012